(57)【要約】  ハウジングと、ハウジングにより支持される少なくとも５枚の平行なブレードの群により規定される剃毛面とを含み、この群の第１のブレードの刃先から、この群の最後のブレードの刃先までの距離が、３．８ｍｍ〜４．６ｍｍである、剃毛かみそりブレードユニット。
2007525310.tif 000002
【特許請求の範囲】
【請求項１】
ハウジングと、
前記ハウジングにより支持される少なくとも５枚の平行なブレードの群により規定される剃毛面とを備え、
前記群の第１のブレードの刃先から、前記群の最後のブレードの刃先までの距離が、３．８ｍｍ〜４．６ｍｍである、剃毛かみそりブレードユニット。
【請求項２】
前記距離が、４．０ｍｍ〜４．４ｍｍである、請求項１記載のブレードユニット。
【請求項３】
前記距離が、４．１ｍｍ〜４．３ｍｍである、請求項１記載のブレードユニット。
【請求項４】
刃先間の間隔が、０．９５ｍｍ〜１．１ｍｍである、請求項１記載のブレードユニット。
【請求項５】
前記第１のブレードと前記最後のブレードとの間のブレードの露出は、ほぼ０．０である、請求項１記載のブレードユニット。
【請求項６】
前記ブレードは、２１°〜２２°のブレード接線角度を有する、請求項１記載のブレードユニット。
【請求項７】
前記第１のブレードは、負の露出を有する、請求項１記載のブレードユニット。
【請求項８】
前記最後のブレードは、正の露出を有する、請求項１記載のブレードユニット。
【請求項９】
前記ブレードは、前記ハウジングに対して移動可能に取り付けられる、請求項１記載のブレードユニット。
【請求項１０】
前記ブレードは、前記ハウジング上に移動可能に取り付けられる支持部材上に取り付けられる、請求項５記載のブレードユニット。
【請求項１１】
ハウジングと、
前記ハウジングにより支持される少なくとも５枚の平行なブレードの群により規定される剃毛面とを備え、
前記ブレードは、０．９５ｍｍ〜１．１５ｍｍの平均ブレード間隔を有する、剃毛かみそりブレードユニット。
【発明の詳細な説明】
【技術分野】
【０００１】
本発明は、複数のブレードを有する剃毛かみそりに関する。
【背景技術】
【０００２】
近年、様々な数のブレード及び外形を有する剃毛かみそりが、特許文献において提案され、市販されており、例えば、米国特許第６，２１２，７７７号と、米国特許出願２００２／０１４４４０４Ａｌ及び２００２／０１５７２５９Ａｌとに記載されている。
【０００３】
剃毛かみそり上のブレードの数を増加させると、一般に、かみそりの剃毛効力を増大し、また皮膚上に圧縮力をより良好に分配する傾向があるが、抵抗力を増大させ、操作性を低減させ、トリミング能力を低減させる傾向もまたある。ブレードの数を増加させることはまた、ブレードが占める領域を増大させるか又はブレードの刃先間の空隙部を減少させることも必要とする。ブレードが占める領域を増大させると、剃毛性能に影響を及ぼし得る。ブレード間の空隙部を減少させると、刃先間の皮膚の膨らみと、剃毛の効力とが変化して、ブレード接線角度及び露出など、ブレードの形状における他のパラメーターの変更が潜在的に必要になる。ブレードの数を増加させると、かみそりの洗い流しやすさにも影響し、それが、ブレード領域から剃毛屑を除去する能力に影響し得る。
【０００４】
本発明は、概ね、ハウジングと、ハウジングにより支持される少なくとも５枚の平行なブレードの群により規定される剃毛面とを含み、この群の第１のブレードの刃先から、この群の最後のブレードの刃先までの距離が、３．８ｍｍ〜４．６ｍｍ、好ましくは４．０ｍｍ〜４．４ｍｍ、最も好ましくは４．１ｍｍ〜４．３ｍｍである、剃毛かみそりブレードユニットを特徴とする。
【０００５】
本発明の特定の実施形態は、以下の１つ以上の特徴を含んでもよい。特定の実施形態では、刃先間の間隔は、０．９５ｍｍ〜１．１５ｍｍ、好ましくは１．０ｍｍ〜１．１ｍｍ、最も好ましくは約１．０５ｍｍである。第１のブレードと前記ブレードとの間のブレードの露出は、ほぼ０．０である。ブレードは、１８°〜２５°、好ましくは２０°〜２３°、最も好ましくは約２１．５°のブレード接線角度を有する。第１のブレードは、負の露出を有する。最後のブレードは、正の露出を有する。これらのブレードは、例えば、移動可能にハウジング上に取り付けられる支持部材上で、ハウジングに対して移動可能に取り付けられる。
【０００６】
本発明の実施形態は、以下の１つ以上の利点を含んでもよい。剃毛かみそりブレードユニットは、多数のブレードに良好に力を分配し、またブレードユニットが占める領域を大き過ぎる程度まで増大させずに改善された剃毛性能をもたらすと同時に、洗い流す能力を保持する。
【０００７】
本発明の他の利点及び特徴は、特定の実施形態の以下の説明と請求項から明白であろう。
【０００８】
図１及び図２を参照すると、剃毛かみそり１０は、使い捨てカートリッジ１２及びハンドル１４を含む。カートリッジ１２は、ハンドル１４に接続する接続部材１８、及び接続部材１８に旋回可能に接続されるブレードユニット１６を含む。
【０００９】
ブレードユニット１６は、プラスチック製ハウジング２０、ハウジング２０前部の主要ガード２２、ハウジング２０後部の潤滑ストリップ２６を有するキャップ２４、主要ガード２２と主要キャップ２４との間の５枚の細長いブレード２８、及びクリップ３２によりハウジング２０の後部に取り付けられたトリミングブレード組立部３０を含み、クリップ３２はまた、ハウジング２０上にブレード２８を保持する。
【００１０】
図３〜図６を参照すると、各細長いブレード２８は、細長い下部基部部分４０２、細長い曲がった部分４０４、及びブレード２８が支持される細長い台部分４０６を有する、各々の細長い曲がった支持体４００上で支持されるのが見られる。ブレードの間隔は、皮膚に接触する要素とブレード縁部との間で伸びる接線に沿って測定されるとき、ブレード縁部から、その縁部のすぐ前の、皮膚に接触する要素までの距離として規定される。各ブレードの刃先４０６は、ブレード間隔の距離Ｓ２＝Ｓ３＝Ｓ４＝Ｓ５で、隣接するブレードの刃先４０８から分離し；ブレード間隔は、０．９５ｍｍ〜１．１５ｍｍ、好ましくは１．０ｍｍ〜１．１ｍｍ、最も好ましくは約１．０５ｍｍである。ブレードの露出は、ブレード縁部のすぐ前のブレードユニット要素の皮膚に接触する面と、すぐ後ろのブレードユニット要素の皮膚に接触する面とに接線方向である平面に対して測定される、ブレード縁部の垂直の距離又は高さであると規定される。刃先は全て、静止しているときクリップ３２に支えられているので、それらは共通の平面内にあって、３枚の中間ブレードの露出はゼロである。前側のブレード２８は、−０．０４ｍｍの負の露出を有し、最後のブレード２８は、正の露出を有する。第１のブレード上の減少した露出と、最後のブレード上の増大した露出により、改善された剃毛性能がもたらされるが、それが米国特許第６，２１２，７７７号に記載されている。前側のレール４０９から前側のブレード２８の刃先までの間隔Ｓ１は、０．６５ｍｍであり、また最後のブレード２８の刃先からキャップ２４の潤滑ストリップ２６上の接点までの距離ＳＣは、３．１６ｍｍである。
【００１１】
ブレードの数の増加により、皮膚に対するブレードの圧縮力は、所望するように分配される傾向があるが、間隔が同じままである場合、ブレードが占める領域が増大し、操作性及びトリミングが困難になる可能性がある。数が増加したブレードの間隔を減少させると、ブレードが占める全体的な領域が、所望するように減少し、また刃先間の皮膚の膨らみを減少させる傾向があり、快適さを改善する可能性がある。しかし、間隔を減少させると、洗い流しやすさと、剃毛屑をブレード領域から除去する能力とを低減させ得る。５枚ブレードのかみそりでは、間隔範囲の下端である０．９５ｍｍにより、良好な快適さはもたらされるが、剃毛屑の除去に関する問題が増大する可能性があり、また間隔範囲の上端である１．１５ｍｍでは、剃毛屑は良好に除去されるが、皮膚が膨らんで、快適さが低減する可能性があり、その範囲内の間隔の値、特に、最も好ましい１．０５ｍｍの間隔に、より近い値により、充分な洗い流しやすさを維持して、剃毛屑の問題を回避しつつ、大きさの減少と良好な快適さとの良好なバランスがもたらされる。第１の刃先４０８から最後の刃先４０８までの距離ＳＴは、ブレード間隔の４倍であり、故に、３．８ｍｍ〜４．６ｍｍ、好ましくは４．０ｍｍ〜４．４ｍｍ、最も好ましくは約４．２ｍｍ、すなわち４．１ｍｍ〜４．３ｍｍである。
【００１２】
図４〜図７を参照すると、ブレード２８は、溶接領域ＷＡでブレード２８の金属を融解して融解金属を作り、それが冷却して、台部分４０６に溶接４１０を形成する、レーザーによってつけられる１３のスポット溶接４１０により、台部分４０６に接続される。溶接領域ＷＡは、ブレードが台部分に固定される取り付けの領域である。溶接領域ＷＡは、台部分４０６の平坦な部分ＦＰ内に位置する。刃先４０８からブレード末端部４５０までのブレードの長さＬＢは、１ｍｍ未満、好ましくは０．９ｍｍ未満、最も好ましくは約０．８５ｍｍである。ブレード２８は、台部分４０６上で支持される均一な厚さ部分４１２と、台部分４０６の前側末端部４５２を超えて伸びる先細になった部分４１２とを有する。
【００１３】
細長い曲がった金属支持体４００は、厚さ（寸法Ｔ）０．０１ｃｍ（０．００４”）〜０．０２３ｃｍ（０．００９”）である金属、好ましくは厚さ０．０１３ｃｍ（０．００５”）〜０．０１８ｃｍ（０．００７”）の金属、最も好ましくは厚さ約０．０１５ｃｍ（０．００６”）の金属から作製される。台部分４０６は、その前側末端部４５２から、曲がった部分４０４までの長さＬＰを有し、ＬＰは、０．７ｍｍ未満、好ましくは０．６ｍｍ未満、最も好ましくは約０．５５ｍｍである。曲がった部分４０４は、内側曲率半径Ｒを有し、Ｒは、０．１ｍｍ未満、好ましくは０．０９ｍｍ未満、最も好ましくは０．０８ｍｍ未満である。基部部分４０２と台部分４０６との間の角度ａは、１０８°〜１１５°、好ましくは１１０°〜１１３°、最も好ましくは約１１１．５°である。
【図面の簡単な説明】
【００１４】
【図１】剃毛かみそりの斜視図。
【図２】ハンドルから分離した取り換え可能なカートリッジを示す、図１のかみそりの斜視図。
【図３】図１のかみそりのカートリッジの、幾つかの構成要素の相対的な位置を示す垂直断面図。
【図４】図３のカートリッジの切断部材の平面図。
【図５】図４の切断部材の正面図。
【図６】図４の切断部材の垂直断面図。
【図７】図４の切断部材の拡大垂直断面図。
【図１】
2007525310.tif 000003
【図２】
2007525310.tif 000004
【図３】
2007525310.tif 000005
【図４】
2007525310.tif 000006
【図５】
2007525310.tif 000007
【図６】
2007525310.tif 000008
【図７】
2007525310.tif 000009
【国際調査報告】
2007525310.tif 000010
2007525310.tif 000011
2007525310.tif 000012
2007525310.tif 000013
2007525310.tif 000014
2007525310.tif 000015